(57)【要約】【課題】固定部材のケースへの斜め組付を抑制する。【解決手段】ＳＭＴコネクタ１０では、ケース１２の組付溝１４にペグ３４が上方から挿入されてケース１２にペグ３４が組み付けられる際に、ケース１２に上下方向に沿って設けられた案内溝３２の一対の案内面３２Ａに沿って、ペグ３４に上下方向に沿って設けられた一対の案内部４２が案内される。これにより、ペグ３４のケース１２に対する傾きを規制できて、ペグ３４のケース１２への斜め組付を抑制できる。【選択図】図１
2008027611.tif 000002
【特許請求の範囲】
【請求項１】
コネクタを構成し、基板に固定されて前記基板に前記コネクタが装着される固定部材と、
前記コネクタを構成すると共に、組付溝が形成され、前記組付溝に前記固定部材が組み付けられるケースと、
前記固定部材及びケースの何れか一方に前記固定部材の前記ケースへの組付方向に沿って設けられ、前記固定部材が前記ケースに組み付けられる際に、前記固定部材及びケースの何れか他方に前記組付方向に沿って設けられた規制溝に沿って案内されて、前記組付方向に対する前記固定部材の傾きが規制される規制部と、
を備えたコネクタ構造。
【請求項２】
前記規制部は、前記固定部材に曲がった状態で設けられた、ことを特徴とする請求項１記載のコネクタ構造。
【請求項３】
前記固定部材に曲がった状態で設けられ、前記基板に固定された固定部を備えた、ことを特徴とする請求項１又は請求項２記載のコネクタ構造。
【発明の詳細な説明】
【技術分野】
【０００１】
本発明は、固定部材がケースに組み付けられたコネクタ構造に関する。
【背景技術】
【０００２】
コネクタ構造としては、コンタクトがハウジングの通孔内に挿入されてハウジングに組み付けられたものがある（例えば、特許文献１参照）。
【０００３】
このようなコネクタ構造では、コンタクトがハウジングに組み付けられる際にコンタクトのハウジングへの組付方向に対するコンタクトの傾きを規制することができれば、コンタクトのハウジングへの斜め組付を抑制することができる。
【特許文献１】実開平５−１５３４７号公報
【発明の開示】
【発明が解決しようとする課題】
【０００４】
本発明は、上記事実を考慮し、固定部材のケースへの斜め組付を抑制できるコネクタ構造を得ることを目的とする。
【課題を解決するための手段】
【０００５】
請求項１に記載のコネクタ構造は、コネクタを構成し、基板に固定されて前記基板に前記コネクタが装着される固定部材と、前記コネクタを構成すると共に、組付溝が形成され、前記組付溝に前記固定部材が組み付けられるケースと、前記固定部材及びケースの何れか一方に前記固定部材の前記ケースへの組付方向に沿って設けられ、前記固定部材が前記ケースに組み付けられる際に、前記固定部材及びケースの何れか他方に前記組付方向に沿って設けられた規制溝に沿って案内されて、前記組付方向に対する前記固定部材の傾きが規制される規制部と、を備えている。
【０００６】
請求項２に記載のコネクタ構造は、請求項１に記載のコネクタ構造において、前記規制部は、前記固定部材に曲がった状態で設けられた、ことを特徴としている。
【０００７】
請求項３に記載のコネクタ構造は、請求項１又は請求項２に記載のコネクタ構造において、前記固定部材に曲がった状態で設けられ、前記基板に固定された固定部を備えた、ことを特徴としている。
【発明の効果】
【０００８】
請求項１に記載のコネクタ構造では、固定部材及びケースがコネクタを構成しており、固定部材がケースの組付溝に組み付けられると共に、固定部材が基板に固定されて、基板にコネクタが装着される。
【０００９】
ここで、固定部材及びケースの何れか一方に組付方向（固定部材のケースへの組付方向）に沿って規制部が設けられると共に、固定部材及びケースの何れか他方に組付方向に沿って規制溝が設けられており、固定部材がケースに組み付けられる際には、規制部が規制溝に沿って案内されて、組付方向に対する固定部材の傾きが規制される。このため、固定部材のケースへの斜め組付を抑制することができる。
【００１０】
請求項２に記載のコネクタ構造では、規制部が固定部材に曲がった状態で設けられている。このため、固定部材がケースに組み付けられる際には、組付方向に対する固定部材の傾きを交差する複数方向において規制可能にされて、固定部材のケースへの斜め組付を効果的に抑制することができる。
【００１１】
請求項３に記載のコネクタ構造では、固定部材に曲がった状態で設けられた固定部が、基板に固定されている。このため、固定部材を基板に強固に固定できて、基板にコネクタを強固に装着することができる。
【発明を実施するための最良の形態】
【００１２】
図１には、本発明のコネクタ構造が適用されて構成されたコネクタとしてのＳＭＴ（Ｓｕｒｆａｃｅ  Ｍｏｕｎｔ  Ｔｙｐｅ）コネクタ１０（表面実装コネクタ）が前方から見た正面図にて示されている。さらに、図２（Ａ）には、ＳＭＴコネクタ１０が前方から見た断面図にて示されており、図２（Ｂ）には、ＳＭＴコネクタ１０が右方から見た断面図（図２（Ａ）のＢ−Ｂ線断面図）にて示されている。なお、図面では、ＳＭＴコネクタ１０の前方を矢印ＦＲで示し、ＳＭＴコネクタ１０の右方を矢印ＲＨで示し、ＳＭＴコネクタ１０の上方を矢印ＵＰで示す。
【００１３】
本実施の形態に係るＳＭＴコネクタ１０は、樹脂製で略直方体形容器状のケース１２を備えており（図３の（Ａ）乃至（Ｃ）参照）、ケース１２には、電子部品（図示省略）が装着されている。
【００１４】
ケース１２の前部には、略直方体状の組付溝１４（組付孔）が形成されており、組付溝１４の上面及び下面は、開放されている。組付溝１４の右側面及び左側面は、上側から下側へ、挿入面１６、圧入面１８、嵌合面２０にされており、一対の挿入面１６間の左右方向距離は一対の圧入面１８間の左右方向距離に比し大きくされると共に、一対の圧入面１８間の左右方向距離は一対の嵌合面２０間の左右方向距離に比し大きくされている。さらに、挿入面１６と圧入面１８との間には、水平な上段面２２が形成されると共に、圧入面１８と嵌合面２０との間には、水平な下段面２４が形成されている。
【００１５】
組付溝１４の後面中央には、断面矩形状の挿入凹部２６が形成されており、挿入凹部２６は上下方向に沿って配置されると共に、挿入凹部２６の上面及び下面は開放されている。挿入凹部２６内には、断面三角形状の係止突起２８が形成されており、係止突起２８の前面は、下方へ向かうに従い前方へ向かう方向へ傾斜されると共に、係止突起２８の下面は、上下方向に対し垂直に配置されている。
【００１６】
ケース１２には、前端（組付溝１４の前側）において、平板状の前壁３０が設けられており、前壁３０は、組付溝１４の挿入面１６の上下方向中間部の高さから下側の部分に配置されている。
【００１７】
前壁３０には、左右方向中間部において、規制溝としての正面視矩形状の案内溝３２（案内孔）が貫通形成されており、案内溝３２は、組付溝１４に連通されると共に、上面及び下面が開放されている。案内溝３２の右側面及び左側面は、案内面３２Ａにされて、左右方向に対して垂直に配置されると共に、組付溝１４の嵌合面２０と面一にされている。
【００１８】
ＳＭＴコネクタ１０は、固定部材としての金属製で略矩形板状のペグ３４を備えており（図４の（Ａ）乃至（Ｃ）参照）、ペグ３４は、ケース１２の組付溝１４に挿入されて、ケース１２に組み付けられている。
【００１９】
ペグ３４の中央には、弾性を有する略矩形板状の係止部３６が切り出し形成されており、係止部３６の外周は、下端がペグ３４と一体にされると共に、下端以外がペグ３４と分離されている。係止部３６は、ペグ３４から後側へ突出されており、係止部３６の上面が挿入凹部２６内の係止突起２８下面に係止されることで、ペグ３４のケース１２に対する上方への移動が係止されている。
【００２０】
ペグ３４の上部には、左右方向両側部分において、略矩形板状の挿入部３８が形成されており、挿入部３８は、ペグ３４の左右方向外側へ突出されている。ペグ３４の挿入部３８が形成される高さ部位は、組付溝１４の一対の挿入面１６間に配置されており、挿入部３８が組付溝１４の上段面２２に係止されることで、ペグ３４のケース１２に対する下方への移動が係止されている。
【００２１】
ペグ３４の上下方向中間部には、左右方向両側部分において、略三角形板状の圧入部４０が形成されており、圧入部４０は、ペグ３４の左右方向外側へ突出されている。ペグ３４の圧入部４０が形成される高さ部位は、組付溝１４の一対の圧入面１８間に配置されており、圧入部４０が圧入面１８に圧入されることで、ペグ３４のケース１２に対する上方への移動が制限されている。
【００２２】
ペグ３４の下部には、左右方向両側部分において、規制部としての矩形板状の案内部４２が切り出し形成されており、案内部４２は、ペグ３４から９０°前側に折り曲げられて、左右方向に垂直に配置されている。案内部４２は、圧入部４０よりペグ３４の左右方向内側に配置されており、ペグ３４の案内部４２が形成される高さ部位は、組付溝１４の一対の嵌合面２０間に嵌合されると共に、案内部４２は、ケース１２の案内溝３２の案内面３２Ａに接触（圧接）されている。
【００２３】
ペグ３４の下端には、左右方向中間部分において、固定部としての矩形板状の曲部４４が切り出し形成されており、曲部４４は、ペグ３４から９０°前側に折り曲げられて、上下方向に垂直に配置されている。
【００２４】
ＳＭＴコネクタ１０は、基板としての平板状のプリント配線板４６に実装（装着）されている。
【００２５】
プリント配線板４６の表面には、金属製で薄板状のランド４８が形成されており、ランド４８にペグ３４の案内部４２及び曲部４４がはんだ５０付けによって固定されることで、プリント配線板４６にＳＭＴコネクタ１０が実装されている。また、ランド４８に案内部４２及び曲部４４を固定する各はんだ５０は、山状にされかつ内部に案内部４２又は曲部４４を収容した状態で、ランド４８に付着されている。
【００２６】
次に、本実施の形態の作用を説明する。
【００２７】
以上の構成のＳＭＴコネクタ１０では、図５乃至図７の（Ａ）及び（Ｂ）に示す如く、ケース１２にペグ３４が組み付けられる際に、ケース１２の組付溝１４にペグ３４が上方から下方へ上下方向（組付方向）に挿入されることで、ペグ３４の一対の挿入部３８が組付溝１４の一対の上段面２２に係止されると共に、ペグ３４の案内部４２が形成される高さ部位が組付溝１４の一対の嵌合面２０間に嵌合される。
【００２８】
この際には、組付溝１４の挿入凹部２６に沿ってペグ３４の係止部３６が下方へ移動されることで、係止部３６が挿入凹部２６内の係止突起２８の前面によって一時的に前側へ弾性変形されて、係止部３６の上面が係止突起２８の下面に係止される。さらに、ペグ３４の圧入部４０が形成される高さ部位が組付溝１４の一対の圧入面１８間に圧入されて、一対の圧入部４０が一対の圧入面１８に圧入される。これにより、ペグ３４のケース１２に対する上方への移動が防止されて、ペグ３４のケース１２からの脱落が防止される。
【００２９】
ここで、ケース１２にペグ３４が組み付けられる際には、ケース１２に上下方向に沿って設けられた案内溝３２の一対の案内面３２Ａに沿って、ペグ３４に上下方向に沿って設けられた一対の案内部４２が案内される。このため、仮にペグ３４がケース１２に対して左右方向へ傾いた場合でも、一対の案内部４２が一対の案内面３２Ａに接触されることで、ペグ３４のケース１２に対する左右方向への傾きが規制される。これにより、ペグ３４のケース１２への斜め組付を抑制することができると共に、ペグ３４がケース１２を削ることによる削りかすが出ることを抑制できる。
【００３０】
さらに、案内部４２がペグ３４に対して垂直に折り曲げられている。このため、ケース１２にペグ３４が組み付けられる際に、ペグ３４が組付溝１４の前面（前壁３０）及び後面に接触することでペグ３４のケース１２に対する前後方向への傾きを規制できると共に、上述の如く一対の案内部４２が一対の案内面３２Ａに接触することでペグ３４のケース１２に対する左右方向への傾きを規制できる。これにより、ペグ３４のケース１２への斜め組付を効果的に抑制することができる。
【００３１】
また、ペグ３４が、曲部４４において、プリント配線板４６のランド４８にはんだ５０付けによって固定されている。このため、ペグ３４をランド４８に強固に固定できて、プリント配線板４６にＳＭＴコネクタ１０を強固に装着することができる。
【００３２】
さらに、ペグ３４が、案内部４２において、プリント配線板４６のランド４８にはんだ５０付けによって固定されている。しかも、案内部４２は、プリント配線板４６に対して垂直に起立されているため、はんだ５０の案内部４２への付着高さを高くすることができる。このため、ペグ３４をランド４８に一層強固に固定できて、プリント配線板４６にＳＭＴコネクタ１０を一層強固に装着することができる。
【００３３】
なお、本実施の形態では、ケース１２に案内溝３２を設けると共に、ペグ３４に案内部４２を設けた構成としたが、ケース１２に案内部４２（規制部）を設けると共に、ペグ３４に案内溝３２（規制溝）を設けた構成としてもよい。
【図面の簡単な説明】
【００３４】
【図１】本発明の実施の形態におけるＳＭＴコネクタを示す前方から見た正面図である。
【図２】（Ａ）及び（Ｂ）は、本発明の実施の形態におけるＳＭＴコネクタを示す図であり、（Ａ）は、前方から見た断面図であり、（Ｂ）は、右方から見た断面図（（Ａ）のＢ−Ｂ線断面図）である。
【図３】（Ａ）乃至（Ｃ）は、本発明の実施の形態におけるＳＭＴコネクタのケースを示す図であり、（Ａ）は、上方から見た平面図であり、（Ｂ）は、前方から見た正面図であり、（Ｃ）は、右方から見た断面図（（Ｂ）のＣ−Ｃ線断面図）である。
【図４】（Ａ）乃至（Ｃ）は、本発明の実施の形態におけるＳＭＴコネクタのペグを示す図であり、（Ａ）は、前方から見た正面図であり、（Ｂ）は、右方から見た側面図であり、（Ｃ）は、右方から見た断面図（（Ａ）のＣ−Ｃ線断面図）である。
【図５】（Ａ）及び（Ｂ）は、本発明の実施の形態におけるＳＭＴコネクタのケースへのペグの組付初期を示す図であり、（Ａ）は、前方から見た断面図であり、（Ｂ）は、右方から見た断面図（（Ａ）のＢ−Ｂ線断面図）である。
【図６】（Ａ）及び（Ｂ）は、本発明の実施の形態におけるＳＭＴコネクタのケースへのペグの組付中期を示す図であり、（Ａ）は、前方から見た断面図であり、（Ｂ）は、右方から見た断面図（（Ａ）のＢ−Ｂ線断面図）である。
【図７】（Ａ）及び（Ｂ）は、本発明の実施の形態におけるＳＭＴコネクタのケースへのペグの組付後期を示す図であり、（Ａ）は、前方から見た断面図であり、（Ｂ）は、右方から見た断面図（（Ａ）のＢ−Ｂ線断面図）である。
【符号の説明】
【００３５】
１０    ＳＭＴコネクタ（コネクタ）
１２    ケース
１４    組付溝
３２    案内溝（規制溝）
３４    ペグ（固定部材）
４２    案内部（規制部）
４４    曲部（固定部）
４６    プリント配線板（基板）
【図１】
2008027611.tif 000003
【図２】
2008027611.tif 000004
【図３】
2008027611.tif 000005
【図４】
2008027611.tif 000006
【図５】
2008027611.tif 000007
【図６】
2008027611.tif 000008
【図７】
2008027611.tif 000009